(57)【要約】    【課題】  封止手段による封止前の段階でも、基板ケースの取り付け台からの脱落等を簡単な構造で容易且つ確実に防止できるようにする。    【解決手段】  取り付け台１９と、基板１３を収納し且つ取り付け台１９に着脱自在に装着される基板ケース１４とを、両者の分離時に開封痕の残る封止手段２１により脱落不能に結合し封止する。取り付け台１９と基板ケース１４との間に、封止手段２１の非封止状態で基板ケース１４を取り付け台１９に仮止めする仮止め手段２２を備えたものである。【選択図】    図５
2007289503.tif 000002
【特許請求の範囲】
【請求項１】
取り付け台（１９）と、基板（１３）を収納し且つ前記取り付け台（１９）に着脱自在に装着される基板ケース（１４）とを、両者の分離時に開封痕の残る封止手段（２１）により脱落不能に結合し封止するようにした遊技機において、前記取り付け台（１９）と前記基板ケース（１４）との間に、前記封止手段（２１）の非封止状態で前記基板ケース（１４）を前記取り付け台（１９）に仮止めする仮止め手段（２２）を備えたことを特徴とする遊技機。
【請求項２】
前記取り付け台（１９）と前記基板ケース（１４）との一端側に、前記基板ケース（１４）を前記取り付け台（１９）に着脱自在に係合する係合手段（２０）を、他端側に前記封止手段（２１）と前記仮止め手段（２２）とを備えたことを特徴とする請求項１に記載の遊技機。
【請求項３】
前記基板ケース（１４）が側方から嵌合する囲繞壁（５８）を外周側に有する前記取り付け台（１９）を縦壁面に配置し、該囲繞壁（５８）の下辺側に、前記基板ケース（１４）に係脱自在に係合する前記仮止め手段（２２）用の仮止め爪（６１）を設けたことを特徴とする請求項１又は２に記載の遊技機。
【請求項４】
前記取り付け台（１９）は前記囲繞壁（５８）の内側に配置された固定具（５９）により前記縦壁面に固定されていることを特徴とする請求項３に記載の遊技機。
【発明の詳細な説明】
【技術分野】
【０００１】
本発明は、スロットマシン、パチンコ機等の遊技機に関するものである。
【背景技術】
【０００２】
パチンコ機等の遊技機では、主制御基板ケース内に、ＲＯＭその他の電子部品が装着された主制御基板を収納し、この主制御基板ケースを遊技機本体を構成する前枠の裏側の取り付け台に着脱自在に装着して、主制御基板側のＲＯＭ等の電子部品により遊技動作を制御する電子制御方式を採用している。
【０００３】
この種の遊技機では、不正防止対策として主制御基板ケースの適当箇所に、開封時に開封痕が残るように構成された封止手段を複数個設け、その１個の封止手段により主制御基板ケースを封止しておき、監督官庁等の検査機関による検査の際には、その封止手段を損壊して開封し、開封後に他の１個の封止手段により再度主制御基板ケースを封止し、検査履歴を主制御基板ケースの所要箇所に記録する等の方法を取っている（特許文献１）。
【０００４】
このような主制御基板ケースを使用すれば、検査に際しての主制御基板ケースの開封、再封止が容易であり、また封止手段の開封痕と検査履歴とを照合することにより、検査機関等による検査の有無、検査回数等が容易に判るため、主制御基板のＲＯＭ等の電子部品を交換する等の不正工作を目的とした主制御基板ケースの開封も容易に判断することができる。
【特許文献１】特許第３０３３９５７号公報
【発明の開示】
【発明が解決しようとする課題】
【０００５】
近時の遊技機では、単に主制御基板ケース側に封止手段を設けるだけでなく、主制御基板ケースとその取り付け台との間にも同様の封止手段を設けて、この封止手段により主制御基板ケースを取り付け台に結合し封止することにより、主制御基板ケースを開封すれば、封止手段の開封痕によりその事実が容易に判るようにすることが考えられている。このような構成の場合には、封止手段により主制御基板ケースを取り付け台に脱落不能に結合できるため、固定手段を別途設ける必要がなく構造を簡素化できる利点がある。
【０００６】
しかし、取り付け台が遊技機本体の裏側の縦壁面にあり、その取り付け台に側面から主制御基板ケースを着脱自在に装着する場合には、組み立て後の検査等の際に主制御基板ケースが取り付け台から脱落する惧れが発生する。
【０００７】
即ち、組み立て後の検査は主制御基板ケースを取り付け台にセットして、その主制御基板のコネクタに所定のハーネスを接続した状態で行い、主制御基板に異常があれば、その主制御基板ケースを取り付け台から取り外し、別の主制御基板を収納した主制御基板ケースに交換する。従って、検査未了の段階では、主制御基板ケースを取り付け台に固定できないため、検査ライン等での搬送中に振動によって主制御基板ケースが取り付け台から脱落する等の問題がある。
【０００８】
本発明は、このような従来の問題点に鑑み、封止手段による封止前の段階でも、基板ケースの取り付け台からの脱落等を簡単な構造で容易且つ確実に防止できる遊技機を提供することを目的とする。
【課題を解決するための手段】
【０００９】
本発明は、取り付け台１９と、基板１３を収納し且つ前記取り付け台１９に着脱自在に装着される基板ケース１４とを、両者の分離時に開封痕の残る封止手段２１により脱落不能に結合し封止するようにした遊技機において、前記取り付け台１９と前記基板ケース１４との間に、前記封止手段２１の非封止状態で前記基板ケース１４を前記取り付け台１９に仮止めする仮止め手段２２を備えたものである。
【発明の効果】
【００１０】
本発明によれば、封止手段２１による封止前の段階でも、基板ケース１４の取り付け台からの脱落等を簡単な構造で容易且つ確実に防止できる。
【発明を実施するための最良の形態】
【００１１】
以下、本発明の実施形態を図面に基づいて詳述する。図面は本発明をスロットマシンとして具現化した実施例を例示している。図１及び図２において、１は遊技機本体を構成する筐体であり、本体ケース２と、この本体ケース２の前側に配置された矩形状の前面パネル３とを備えている。
【００１２】
本体ケース２は例えば木製で、左右一対の側板４ａ，４ｂと、それら左右の側板４ａ，４ｂの上下両端側を左右に連結する上板５及び底板６と、背面側を略塞ぐ背板７とにより、前側が開放する箱形に形成されており、その前側を開閉自在に閉鎖するように前面パネル３が装着されている。
【００１３】
本体ケース２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が格納された主制御基板ケース１４等が配置されている。表示リールユニット９は、左右の側板４ａ，４ｂ間に架設された中間棚１５上に着脱自在に装着されている。
【００１４】
メダル払い出し装置１０は、払い出し用のメダルを貯留するメダルホッパー１６、メダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。メダル補助ケース１１は側板４ｂに近接して底板６上に装着され、電源基板ケース１２はメダル補助ケース１１と反対側で側板４ａの下部側に装着されている。
【００１５】
主制御基板ケース１４は本体ケース２内の縦壁面、例えば背板７の前面側で且つ中間棚１５の下側近傍に固定された取り付け台１９に、左右方向の一端側に配置された係合手段２０と、他端側に配置された第１封止手段２１とを介して前面側（横方向）から着脱自在に固定され、また一端側を係合手段２０を介して取り付け台１９に係合しただけ等の非封止状態で仮止め手段２２により仮止め可能になっている。
【００１６】
前面パネル３は左右一端側、例えば左側に配置されたヒンジ手段（図示省略）を介して本体ケース２に対して開閉自在に装着されており、その上部側には第１表示窓２３と第２表示窓２４とが上下に配置されている。第１表示窓２３は、本体ケース２側の図柄表示リール８ａ〜８ｃに対応して矩形状に形成されており、遊技者はこの第１表示窓２３を介して図柄表示リール８ａ〜８ｃを前側から視認可能となっている。
【００１７】
第２表示窓２４は、前面パネル３の裏側に装着された液晶表示ユニット（図示省略）の表示画面２５に対応して、第１表示窓２３よりも大型の矩形状に形成されており、遊技者はこの第２表示窓２４を介して表示画面２５を前側から視認可能となっている。
【００１８】
また第２表示窓２４の下側には、横長状の操作パネル部２６が設けられている。この操作パネル部２６の上面側には、遊技媒体としてのメダルを投入可能なメダル投入口２７の他、１ベットボタン２８、マックスベットボタン２９及びキャンセルボタン３０が設けられている。１ベットボタン２８、マックスベットボタン２９は、メダル投入口２７へのメダル投入に代えてクレジットからメダルをベットするためのものである。
【００１９】
また操作パネル部２６の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２７内に詰まったメダルを返却させるための返却ボタン３３等が設けられている。
【００２０】
前面パネル３の下端部前側には、メダル払い出し手段１７から払い出されたメダルや返却されたメダルを前側に排出するための排出口３４が設けられ、その前側に、排出口３４から排出されたメダルを受けるメダル受け皿３５が横長状に配置されている。
【００２１】
主制御基板１３は、スタートレバー３１、ストップボタン３２ａ〜３２ｃ等の操作に応じて図柄表示リール８ａ〜８ｃの回転、停止その他の遊技動作を制御するためのものである。この主制御基板１３は図３、図４に示すように横長矩形状であって、その前面側の中央部分にはＲＯＭその他の電子部品４０が装着され、また左右両端側には外部のハーネスを接続するための複数個のコネクタ４１が端縁に沿って一列状、Ｌ字状等に装着されている。
【００２２】
主制御基板ケース１４、取り付け台１９は、共に横長矩形状に構成されている。主制御基板ケース１４は、図３〜図５に示すように、主制御基板１３を表裏両側から挟む第１ケース体４２及び第２ケース体４３と、左右方向の他端側で両ケース体４２，４３を係脱、開閉自在に結合するヒンジ手段４４と、左右方向の一端側で両ケース体４２，４３を結合して封止し且つ開封時に開封痕の残る複数個（例えば４個）の第２封止手段４５とを備えている。
【００２３】
第１ケース体４２は平板状であって、外周側に受け縁４６を残して起立壁４７が周方向の全周に形成されており、その起立壁４７内に、その裏側を第１ケース体４２に向けた状態で主制御基板１３が配置されている。第２ケース体４３は第１ケース体４２側が開放する蓋状であって、外周側の周壁４８とその周壁４８に一体の背壁４９とを有し、その背壁４９には主制御基板１３の電子部品４０に対応する中央部分に膨出部５０が、その左右両端側に凹部５１が夫々形成され、第１ケース体４２の起立壁４７の外側に嵌合して、その周壁４８の開口端縁が第１ケース体４２の受け縁４６に当接している。
【００２４】
膨出部５０は放熱孔５２を有し、主制御基板１３の電子部品４０を覆うようになっている。凹部５１の底部５１ａは主制御基板１３の表面に当接し、その底部５１ａには各コネクタ４１が突出するコネクタ孔５３が形成されている。なお、主制御基板１３は第１ケース体４２、第２ケース体４３により挟持され、主制御基板ケース１４内に位置決め突起等により固定されている。
【００２５】
ヒンジ手段４４は、図４〜図６に示すように、第２ケース体４３の前端側に一体に形成された上下一対のヒンジピン５４と、第１ケース体４２に一体に形成され且つヒンジピン５４に係脱、回動自在に係合する上下一対の係合片５５とを備えている。係合片５５は第１ケース体４２側の上下一対の突出部５６の先端に設けられており、第２ケース体４３の周壁４８とヒンジピン５４との間からヒンジピン５４に対して係脱自在であり、その係合状態でヒンジピン５４を後側から抱き込むように、後側に突出するＵ字状その他の円弧状に湾曲形成されている。なお、第１ケース体４２には、両突出部５６間に第１封止手段２１に対応して凹入部５７が設けられている。
【００２６】
取り付け台１９の外周には、図３〜図５に示すように、前側から着脱自在に嵌合する主制御基板ケース１４を外周から囲繞する囲繞壁５８が形成され、その囲繞壁５８の内側に配置された複数個（例えば上下、左右の４個）のネジ等の固定具５９により本体ケース２の背板７に固定されている。囲繞壁５８は係合手段２０側の一辺が凸状等の幅の広い広幅壁６０により構成され、他の３辺が板状壁に構成されている。囲繞壁５８の高さは、主制御基板ケース１４を取り付けた状態で第２ケース体４３の背壁４９と略一致する程度である。
【００２７】
仮止め手段２２は第１封止手段２１による非封止状態で主制御基板ケース１４を取り付け台１９に仮止めするためのもので、図３、図４、図５、図７、図８に示すように、囲繞壁５８の下辺側で第１封止手段２１の下側近傍位置に設けられた仮止め爪６１を備え、この仮止め爪６１が第２ケース体４３の下端側に下側から係脱自在に係合するようになっている。仮止め爪６１はその左右両側のスリット６２を介して囲繞壁５８と区画されると共に、基部側が囲繞壁５８に一体に接続しており、主制御基板ケース１４に対して係脱すべく上下方向に弾性変形可能である。
【００２８】
なお、仮止め爪６１は前端側が囲繞壁５８の内面よりも上側へと若干出るように前上がりに傾斜しており、その前端側に、主制御基板ケース１４を案内する案内面６１ａを有する係合部６１ｂが形成されている。仮止め爪６１の案内面６１ａ側は、仮止め解除時の操作部となっている。
【００２９】
囲繞壁５８の下側には、シール貼付部兼用のケース受け部６３が囲繞壁５８よりも前側に突出して形成されている。ケース受け部６３は、係合手段２０で仮止め状態の主制御基板ケース１４を受けると共に、これから第２ケース体４３に跨がって封印シールを貼付するようになっている。ケース受け部６３とシール貼付部は別々に設けてもよい。
【００３０】
シール貼付部６３は第１封止手段２１よりも係合手段２０側の左右方向の略中央部又は略中央よりも若干仮止め爪６１側寄りの位置に配置され、その上面側の受け面は囲繞壁５８の内面と略面一状になっている。主制御基板ケース１４には、その第２ケース体４３のの周壁４８の下側部分に、シール貼付部６３に対応して略水平状に当接面４８ａが形成されている。
【００３１】
係合手段２０は主制御基板ケース１４を取り付け台１９の広幅壁６０側に係脱自在に係合するためのもので、図３、図４に示すように、取り付け台１９の広幅壁６０に形成された上下一対の係合凹部６５と、主制御基板ケース１４の第２ケース体４３の側壁から左右方向の外側に突出して形成され且つ係合凹部６５に内側から係脱自在に係合する係合突部６６とを備えている。
【００３２】
即ち、広幅壁６０は、図１５、図１６に示すように、取り付け台１９の内外方向に所定の間隔をおいて配置された内壁１００及び外壁１０１と、係合凹部６５の両側で内壁１００及び外壁１０１を接続する接続壁１０２とを有する。係合凹部６５は、内壁１００に形成された開口１０３と、外壁１０１の高さ方向の途中から内側へと屈曲する係合壁１０４とを有し、係合壁１０４の先端にリブ１０５が形成されている。係合壁１０４、リブ１０５は左右の接続壁１０２と一体に形成されている。
【００３３】
係合突部６６は取り付け台１９の内外方向（前後方向）に所定の高さを有し且つ取り付け台１９側が開口する箱状に構成されており、係合壁１０４に対応する側が係合壁面１０６により閉塞されている。係合壁面１０６、係合壁１０４は、係合凹部６５に対する係合突部６６の係脱を容易にするため傾斜状に形成されている。
【００３４】
なお、第２ケース体４３の周壁４８には、その係合突部６６間に固定部６７が突設され、この固定部６７が係合凹部６５間で取り付け台１９の広幅壁６０に形成された凹部６８にネジ等の固定具６９で着脱自在に固定されている。これは、取り付け台１９に取り付けた状態での主制御基板ケース１４のガタツキを防止するためである。
【００３５】
図３、図５に示すように、主制御基板ケース１４を取り付け台１９に結合し封止する第１封止手段２１は、主制御基板ケース１４のヒンジ手段４４側に、主制御基板ケース１４の両ケース体４２，４３を結合し封止する第２封止手段４５は、係合手段２０側に夫々上下方向に複数個ずつ一列状に配置され、共に略同一の構成となっている。なお、各封止手段２１，４５は４個あり、最大４回までの開封、封止が可能である。
【００３６】
各封止手段２１，４５は、図１１〜図１４に示すように、第２ケース体４３の背壁４９と、第２ケース体４３の背壁４９側の封止板７２と、取り付け台１９（図１３参照）又は第１ケース体４２（図１４参照）側の離脱防止板７３とに跨がって設けられている。
【００３７】
なお、第１封止手段２１の離脱防止板７３は、取り付け台１９から前側に凸状に突出して設けられ、第２封止手段４５の離脱防止板７３は、第１ケース体４２の起立壁４７から内側に突出して設けられている。封止板７２は４個の封止手段２１，４５を取り囲む平面視略コ字状であって、第２ケース体４３の背壁４９の後側（内側）に固着されている。
【００３８】
各封止手段２１，４５は特許第３０３３９５７号公報に記載の封止手段と略同様の構成であって、図１１〜図１４に示すように、離脱防止板７３に形成された離脱防止部７４と、離脱防止板７３に前側から当接して離脱防止部７４に対応する封止部７５と、封止部７５側から離脱防止部７４へと前後方向に貫通して両者を分離不能に封止する封止ピン７６と、封止前の封止ピン７６を保持するピン保持部７７と、封止部７５及びピン保持部７７を封止板７２に一体に接続する損壊部７８と、第２ケース体４３の前側から封止ピン７６を結合方向に押圧操作するための操作用開口部７９と、損壊部７８を第２ケース体４３の外側から切断する背壁４９側の切断用開口部８０とを備え、封止時にピン保持部７７の封止ピン７６を押圧操作することにより、この封止ピン７６が封止部７５側から離脱防止部７４に離脱不能に係合して封止し、また開封時に損壊部７８を切断するようになっている。
【００３９】
離脱防止部７４は、離脱防止板７３に形成された封止ピン７６用の挿通スリット８１と、この挿通スリット８１の両側で離脱防止板７３と一体に形成された一対の弾性係合部８２とを備え、その各弾性係合部８２に封止ピン７６の案内傾斜面が形成されている。なお、離脱防止板７３には、各挿通スリット８１の両側に逃げ用スリット８３が形成され、その隣り合うスリット８１，８３間が弾性係合部８２となっている。
【００４０】
ピン保持部７７は封止ピン７６を封止前の状態で保持するためのもので、角形の枠体により構成され、封止板７２と第２ケース体４３の嵌合リブ８５との間に配置されている。ピン保持部７７は、その上下方向の中間に係合凸部８６が相対向して設けられ、また先端部に、閉じたときに離脱防止板７３に当接するように封止部７５が一体に設けられている。封止部７５は角形のピン挿通孔８７を有する。損壊部７８はニッパー等の切断具で容易に切断可能な板状であって、ピン保持部７７の上部側中央と封止板７２とを接続するように一体に形成されている。
【００４１】
封止板７２には、この封止板７２の内周側から各損壊部７８の下方側へと斜めに傾斜する傾斜部８８が一体に形成されている。この傾斜部８８は、ピン保持部７７、封止部７５及び損壊部７８を第２ケース体４３の内側から覆うと共に、封止状態のときに下端側を離脱防止板７３上の突条部８９に当接させて切断用開口部８０の下方側を塞ぐためのものである。
【００４２】
封止ピン７６は封止部７５側から離脱防止板７３の離脱防止部７４側に貫通して、取り付け台１９と第２ケース体４３、又は第１ケース体４２と第２ケース体４３とを封止状態に結合するためのもので、封止前の封止ピン７６はピン保持部７７内に保持されている。封止ピン７６は、断面矩形状の軸部７６ａと、矩形状の係合鍔部９０と、軸部７６ａの先端側の台形状の係合頭部９１と、係合鍔部９０から上側に突出する円柱状の被操作部９０ａとを備え、適当な弾性を有する合成樹脂材料により一体に成形されている。
【００４３】
係合鍔部９０はピン保持部７７に嵌合する角形状であって、封止前の状態では係合凸部８６によりピン保持部７７内に係止され、また封止状態では封止部７５に上側から係合するようになっている。係合頭部９１は封止前の状態では封止部７５のピン挿通孔８７に嵌合し、また封止状態では離脱防止部７４の弾性係合部８２に下側から離脱不能に係合するようになっている。
【００４４】
第２ケース体４３は、その背壁４９の後側に４個の嵌合枠部９２を備え、嵌合枠部９２にピン保持部７７が下側から嵌合している。ピン保持部７７は嵌合枠部９２に所定の間隙をおいて遊嵌しており、損壊部７８が損壊されて離脱防止板７３側に結合状態にあるときに、嵌合枠部９２に対して嵌脱自在である。嵌合枠部９２は、嵌合リブ８５及び背壁４９に一体に形成され、また損壊部７８に対応する位置が開放状の切り欠き部９３となっている。
【００４５】
操作用開口部７９は、嵌合枠部９２の中央で背壁４９に形成され、この操作用開口部７９に封止前の封止ピン７６の被操作部９０ａが下側から嵌合している。操作用開口部７９は封止ピン７６の被操作部９０ａに合わせた小径の丸孔であって、各操作用開口部７９の上側に、上方に向かって円錐面状に広がる案内部９４が設けられている。
【００４６】
切断用開口部８０は主制御基ケース１４を開封するときに、切断具を挿入して損壊部７８を切断するためのもので、第２ケース体４３の背壁４９側に、各損壊部７８に跨がって長孔状に形成されている。
【００４７】
なお、取り付け台１９、主制御基板ケース１４の構成部材は、主制御基板１３側、固定具５９、各封止手段２１，４５の封止ピン７６等を除いて、内部を極力視認できるように透明な合成樹脂材料により構成されている。
【００４８】
上記構成において、主制御基板１３を主制御基板ケース１４に収納する場合には、両ケース体４２，４３間に主制御基板１３を挟み、ヒンジ手段４４の係合片５５、ヒンジピン５４を介して係合状態の両ケース体４２，４３を閉じ、４個の第２封止手段４５のうち、例えば上端側の第２封止手段４５により両ケース体４２，４３を結合し封止する。これによって主制御基板ケース１４は、封止状態の第２封止手段４５の損壊部７８を切断しない限り開放不能になる。
【００４９】
第２封止手段４５による主制御基板ケース１４の封止に当たっては、封止ピン７６がピン保持部７７内にあるので、先ず第２ケース体４３の操作用開口部７９にドライバー等の工具をセットし、その先端で封止ピン７６を押圧する。すると封止ピン７６の係合鍔部９０が弾性変形によりピン保持部７７の係合凸部８６を通過すると共に、その係合頭部９１が弾性係合部８２を両側に押し広げて通過し弾性係合部８２に係合する。
【００５０】
これによって封止ピン７６の係合鍔部９０が封止部７５に当接し、封止ピン７６がその係合鍔部９０と係合頭部９１との間で封止部７５と離脱防止部７４とを両側から離脱不能に挟むため、第２封止手段４５により両ケース体４２，４３を結合し封止することができる。
【００５１】
組み立て工程等で主制御基板ケース１４を取り付け台１９に取り付ける場合には、主制御基板ケース１４の係合手段２０側を取り付け台１９の囲繞壁５８に合わせて、その係合突部６６を取り付け台１９の係合凹部６５に挿入した後、係合手段２０側を支点として主制御基板ケース１４を取り付け台１９側へと押圧する。
【００５２】
すると主制御基板ケース１４が仮止め手段２２の仮止め爪６１の案内面を通過するときに、仮止め爪６１が下側へと弾性変形して囲繞壁５８内に嵌合すると共に、その嵌合状態で仮止め爪６１が主制御基板ケース１４に係合するため、仮止め手段２２により主制御基板ケース１４を取り付け台１９に仮止めすることができる。
【００５３】
また主制御基板ケース１４は囲繞壁５８に嵌合する前、又は仮止め手段２２による仮止めを解除した状態では、係合手段２０が係合状態になってはいるものの、図１０に示すように取り付け台１９に対して斜めになっている。しかし、囲繞壁５８の下辺側にはシール貼付部６３があり、このシール貼付部６３により主制御基板ケース１４を下側から受けているため、係合手段２０が外れて主制御基板ケース１４が脱落する等の惧れもない。従って、組み立てその他での主制御基板ケース１４の取り扱いを容易に行うことができる。
【００５４】
組み立て後の検査工程では、第１封止手段２１により主制御基板ケース１４を取り付け台１９に結合、封止せずに、仮止め手段２２により主制御基板ケース１４を仮止めした状態で、主制御基板１３の各コネクタ４１に所定のハーネスを接続して検査を行う。このとき主制御基板ケース１４は仮止め手段２２により取り付け台１９に仮止めされているため、振動等によって主制御基板ケース１４が取り付け台１９から脱落して落下するようなこともない。
【００５５】
検査工程で主制御基板１３に異常がなければ、４個の第１封止手段２１のうち、例えば上端側の第１封止手段２１により主制御基板ケース１４を取り付け台１９に結合し封止する。これによって主制御基板ケース１４は、封止状態の第１封止手段２１の損壊部７８を切断しない限り開放不能になる。このときの封止操作は、第２封止手段４５側の操作と同様である。なお、主制御基板１３に異常があれば、仮止め爪６１を下方に押圧して仮止めを解除し、主制御基板ケース１４を取り付け台１９から取り外して交換する。
【００５６】
主制御基板ケース１４を第１封止手段２１で取り付け台１９に封止すれば、取り付け台１９を背板７に固定する固定具５９も主制御基板ケース１４により覆われるため、固定具５９による固定を解除して取り付け台１９と一緒に主制御基板ケース１４を取り外すようなこともできない。
【００５７】
検査機関等による主制御基板１３の検査に際しては、封止状態にある第１封止手段２１の損壊部７８を切断する。するとこの第１封止手段２１のピン保持部７７、封止部７５が封止板７２から分離されて、主制御基板ケース１４が取り付け台１９から離脱可能になる。従って、仮止め爪６１を下方に押し下げて主制御基板ケース１４から外し、係合手段２０の係合突部６６を係合凹部６５から抜き取れば、主制御基板ケース１４を取り付け台１９から取り外すことができる。
【００５８】
主制御基板ケース１４から主制御基板１３を取り出す場合には、第１封止手段２１側と同様にして、封止状態にある第２封止手段４５の損壊部７８を同様に切断する。これによって第２封止手段４５による両ケース体４２，４３の結合を解除でき、主制御基板ケース１４内の主制御基板１３を取り出すことができる。
【００５９】
このように封止後の主制御基板ケース１４を外して主制御基板１３を取り出す場合には、各封止手段２１，４５の損壊部７８を切断して開封する必要があり、その損壊部７８に必ず開封痕が残るため、不正行為があればその事実を容易に発見することができる。
【００６０】
また第１封止手段２１は主制御基板ケース１４の第２ケース体４３と取り付け台１９とを結合し封止するため、主制御基板ケース１４内の主制御基板１３を取り出す場合には、第１封止手段２１と第２封止手段４５との両方による封止を解除する必要があり、第２封止手段４５の開封のみで主制御基板１３の取り出しが可能である場合に比して不正工作等が更に困難になり、安全性が向上する利点がある。
【００６１】
主制御基板ケース１４を取り付け台１９に取り付ける場合には、係合突起６６を係合凹部６５に挿入して係合させた後、第１封止手段２１により封止する。この場合、主制御基板ケース１４を取り付け台１９の囲繞壁５８内に嵌合させるため、係合突部６６が係合凹部６５に係合せずに係合壁１０４上に乗り上げた状態となっても、主制御基板ケース１４が取り付け台１９から脱落することはない。従って、係合突部６６の板厚が薄ければ、係合突部６６が係合壁１０４上に乗り上げた状態であることを知らないまで、第１封止手段２１を封止する惧れがある。
【００６２】
しかし、係合突部６６を厚い箱状に構成しているため、係合突部６６が係合壁１０４のリブ１０５上に乗り上がった状態ときには、主制御基板ケース１４が囲繞壁５８から大きく突出することになり、これによって係合突部６６が係合凹部６５に係合していないことを容易に判断できる。
【００６３】
以上、本発明の実施例について詳述したが、本発明はこの実施例に限定されるものではなく、本発明の趣旨を逸脱しない範囲で種々の変更が可能である。例えば、仮止め手段２２の仮止め爪６１は、取り付け台１９の囲繞壁５８の上辺側に設けてもよい。また仮止め手段２２の仮止め爪６１は、主制御基板ケース１４側に設けて、その仮止め爪６１が取り付け台１９に係合するようにしてもよい。その場合、仮止め爪６１は第１ケース体４２に外側から外嵌する第２ケース体４３に設けるのが一般的になるが、第１ケース体４２に設けることも可能である。更に仮止め手段２２は、主制御基板ケース１４を取り付け台１９に仮止めできればよいので、仮止め爪６１以外の手段を利用してもよい。
【００６４】
第１封止手段２１、第２封止手段４５は、開封したときに開封痕が残るものであれば十分であり、実施例に例示の構成以外のものを採用することも可能である。また第１封止手段２１で主制御基板ケース１４を取り付け台１９に脱落不能に結合し封止するものであれば、その取り付け台１９は背板７等の縦壁面に取り付けたもの、上板５その他の下面に取り付けたもの、前パネル側に取り付けたもの等でもよい。
【００６５】
係合突部６６を前後方向に厚く構成することにより、係合手段２０の係合不良を容易に判断できるが、リブ１０５等による当接部を厚くして、係合突部６６側を薄くしてもよい。また係合突部６６、係合凹部６５のリブ１０５等の当接部側を共に厚く構成してもよい。
【００６６】
主制御基板ケース１４を縦長状に取り付けてもよい。その場合、係合手段２０、第１封止手段２１、第２封止手段４５等は上下方向の端部側に配置してもよいし、左右方向の端部側に配置してもよい。なお、係合手段２０、第１封止手段２１、第２封止手段４５等は、実施例に例示するように主制御基板ケース１４の長手方向の端部側に配置するのが望ましい。
【００６７】
また実施例では、主制御基板１３、及びこれを収納する主制御基板ケース１４について例示しているが、主制御基板１３、主制御基板ケース１４以外の基板、及びこれを収納する基板ケースの全般についても同様に実施可能であることは云うまでももない。更に実施例では、スロットマシンについて例示しているが、パチンコ機その他の弾球遊技機、又はスロットマシン、弾球遊技機以外の遊技機においても同様に実施可能である。
【図面の簡単な説明】
【００６８】
【図１】本発明の一実施例に係るスロットマシンの全体斜視図である。
【図２】本体ケース側の正面図である。
【図３】主制御基板ケース側の正面図である。
【図４】主制御基板ケース側の横断平面図である。
【図５】主制御基板ケース側の斜視図である。
【図６】ケース体の分解破断斜視図である。
【図７】仮止め手段部分の斜視図である。
【図８】仮止め手段部分の断面図である。
【図９】シール貼付部側の断面図である。
【図１０】作用説明図である。
【図１１】封止手段の分解破断斜視図である。
【図１２】封止手段の破断側面図である。
【図１３】第１封止手段の破断正面図である。
【図１４】第２封止手段の破断正面図である。
【図１５】係合手段の破断斜視図である。
【図１６】係合手段の断面図図である。
【符号の説明】
【００６９】
１３  主制御基板
１４  主制御基板ケース
１９  取り付け台
２０  係合手段
２１  封止手段
２２  仮止め手段
５８  囲繞壁
５９  固定具
６１  仮止め爪
【図１】
2007289503.tif 000003
【図２】
2007289503.tif 000004
【図３】
2007289503.tif 000005
【図４】
2007289503.tif 000006
【図５】
2007289503.tif 000007
【図６】
2007289503.tif 000008
【図７】
2007289503.tif 000009
【図８】
2007289503.tif 000010
【図９】
2007289503.tif 000011
【図１０】
2007289503.tif 000012
【図１１】
2007289503.tif 000013
【図１２】
2007289503.tif 000014
【図１３】
2007289503.tif 000015
【図１４】
2007289503.tif 000016
【図１５】
2007289503.tif 000017
【図１６】
2007289503.tif 000018